(57)【要約】      （修正有）【課題】ほほ骨部位をも防寒することができ、しかもデザイン的にも斬新な防寒用耳当てを提供する。【解決手段】耳に当てる主防寒部材１に、ほほ骨部位に当てる補助防寒部材２を付設したことを特徴とする。補助防寒部材がほほ骨部位にも装着されるので、特に冬の寒いとき、ジョギング等で風を切るときにも、より効果的に顔の防寒が図れる。また、耳を覆うと共にほほ骨部位をも覆うものであるため、その装着時、特に女の子が装着した時には可愛いものとなり、またデザインも斬新なものであるため、若者の購買意欲をくすぐるものとなる。【選択図】図１
0003159212.tif 000002
【実用新案登録請求の範囲】
【請求項１】
耳に当てる主防寒部材に、ほほ骨部位に当てる補助防寒部材を付設したことを特徴とする、防寒用耳当て。
【請求項２】
上記補助防寒部材を、上記主防寒部材に対して張り出した状態から重ね合わせた状態に折り畳み可能に取り付けたことを特徴とする、請求項１に記載の防寒用耳当て。
【請求項３】
上記補助防寒部材を、ヒンジによって上記主防寒部材に取り付けたことを特徴とする、請求項２に記載の防寒用耳当て。
【請求項４】
上記ヒンジに、上記補助防寒部材を上記主防寒部材に対して張り出した状態の位置と、重ね合わせた状態の位置とに係止する位置決め手段を付設したことを特徴とする、請求項３に記載の防寒用耳当て。
【請求項５】
上記補助防寒部材を、上記主防寒部材に対してスライド可能に取り付けたことを特徴とする、請求項１に記載の防寒用耳当て。
【請求項６】
上記補助防寒部材を、上記主防寒部材に対して取り外し可能に取り付けたことを特徴とする、請求項１に記載の防寒用耳当て。
【考案の詳細な説明】
【技術分野】
【０００１】
本考案は、防寒用耳当てに関するもので、特に、ほほ骨部位の防寒もできると共に、デザイン的にも斬新な防寒用耳当てに関するものである。
【背景技術】
【０００２】
防寒用耳当ては、表面を毛で覆った左右の耳当て主体を弾性紐，帯状板ばね等の紐によって互いに連結し、紐を頭部に掛けることによって、両主体を左右の耳に当てて頭部に装着するものである（例えば、特許文献１）。
【先行技術文献】
【特許文献】
【０００３】
【特許文献１】特開２００９−２２６００１号公報
【考案の概要】
【考案が解決しようとする課題】
【０００４】
ところで、このような防寒用耳当てをしていても、特に冬の寒いとき、ジョギング等で風を切るとき等には、ほほ骨部位に冷気を感じる。また、デザイン的にも旧態依然としており、若者の購買意欲をくすぐるようなものではなかった。
【０００５】
本考案は、上記背景技術が有する課題に鑑みなされたものであって、その目的は、ほほ骨部位をも防寒することができ、しかもデザイン的にも斬新な防寒用耳当てを提供することにある。
【課題を解決するための手段】
【０００６】
上記した目的を達成するため、請求項１の防寒用耳当ては、耳に当てる主防寒部材に、ほほ骨部位に当てる補助防寒部材を付設したことを特徴とする。
【０００７】
また、請求項２の防寒用耳当ては、上記請求項１に記載の考案において、上記補助防寒部材を、上記主防寒部材に対して張り出した状態から重ね合わせた状態に折り畳み可能に取り付けたことを特徴とする。
【０００８】
また、請求項３の防寒用耳当ては、上記請求項２に記載の考案において、上記補助防寒部材を、ヒンジによって上記主防寒部材に取り付けたことを特徴とする。
【０００９】
また、請求項４の防寒用耳当ては、上記請求項３に記載の考案において、上記ヒンジに、上記補助防寒部材を上記主防寒部材に対して張り出した状態の位置と、重ね合わせた状態の位置とに係止する位置決め手段を付設したことを特徴とする。
【００１０】
また、請求項５の防寒用耳当ては、上記請求項１に記載の考案において、上記補助防寒部材を、上記主防寒部材に対してスライド可能に取り付けたことを特徴とする。
【００１１】
また、請求項６の防寒用耳当ては、上記請求項１に記載の考案において、上記補助防寒部材を、上記主防寒部材に対して取り外し可能に取り付けたことを特徴とする。
【考案の効果】
【００１２】
上記した請求項１の防寒用耳当てによれば、補助防寒部材がほほ骨部位にも装着されるので、特に冬の寒いとき、ジョギング等で風を切るときにも、より効果的に顔の防寒が図れる。また、耳を覆うと共にほほ骨部位をも覆うものであるため、その装着時、特に女の子が装着した時には可愛いものとなり、またデザインも斬新なものであるため、若者の購買意欲をくすぐるものとなる。
【００１３】
また、上記した請求項２の防寒用耳当てによれば、必要としないときには、補助防寒部材を主防寒部材から取り外すことなく、補助防寒部材を主防寒部材に重ね合わせて保管することができるので、補助防寒部材を紛失する虞が無くなる。
【００１４】
また、上記した請求項３の防寒用耳当てによれば、例えば、塑性を有する金属板等によって補助防寒部材を主防寒部材に連結した場合に比べ、主防寒部材に対して補助防寒部材の位置関係を確実に維持することができる。
【００１５】
また、上記した請求項４の防寒用耳当てによれば、補助防寒部材を主防寒部材に対して張り出した状態の位置と、重ね合わせた状態の位置とに安定して保持することができるので、使用態様を確実に確保することができる。
【００１６】
また、上記した請求項５の防寒用耳当てによれば、補助防寒部材を主防寒部材に対してスライドさせることにより、ほほ骨部位の最適な位置に、補助防寒部材を配置することができる。
【００１７】
また、上記した請求項６の防寒用耳当てによれば、必要としないときには、補助防寒部材を主防寒部材から取り外し、通常の防寒用耳当てとして使用することができる。
【図面の簡単な説明】
【００１８】
【図１】本考案に係る防寒用耳当ての一実施形態を示した斜視図である。
【図２】図１に示した実施形態の防寒用耳当てで採用されているヒンジの張出した状態を示した部分斜視図である。
【図３】図１に示した実施形態の防寒用耳当てで採用されているヒンジの重ね合わせた状態を示した部分斜視図である。
【図４】図２におけるＡ−Ａ線拡大断面図である。
【図５】図２におけるＢ−Ｂ線拡大断面図である。
【図６】本考案に係る防寒用耳当ての他の実施形態を示した斜視図である。
【図７】本考案に係る防寒用耳当てのさらに他の実施形態を示した斜視図である。
【考案を実施するための形態】
【００１９】
以下、本考案に係る防寒用耳当てを、図面に示した実施の形態に基づいて詳細に説明する。
【００２０】
図１に示した防寒用耳当ては、左右の耳を覆う主防寒部材１，１と、左右のほほ骨部位を覆う補助防寒部材２，２と、左右の主防寒部材１，１を連結し、それらを頭部に装着させるための連結部材３とによって構成されている。そして、補助防寒部材２は、ヒンジ４を介して主防寒部材１に連結され、補助防寒部材２が、主防寒部材１に対して張り出した状態〔図１（ａ）の状態〕と、重ね合わせた状態〔図１（ｂ）の状態〕に回動可能に取り付けられている。
【００２１】
主防寒部材１および補助防寒部材２は、円盤状基材に、植毛した布等を覆うことによって構成されている。
【００２２】
ヒンジ４は、図２〜図５に示したように、軸５に対して固定または回動自在に配設された取り付け片６と、軸５に対して回動自在に配設された取り付け片７とを備えている。取り付け片６は主防寒部材２に一体に取り付けられ、取り付け片７は補助防寒部材３に一体に取り付けられている。
【００２３】
取り付け片７の端部側面には、軸５を中心とする円筒状の張出部８が形成され、その張出部８の外周面に突起９が形成されている。
一方、取り付け片６には、フレーム１０が固設されている。フレーム１０は、取り付け片６の幅方向に延び端部が取り付け片７の張出部８を覆うように曲げられ、さらに、端部が取り付け片６と平行になるように内側に曲げられている。
【００２４】
そして、フレーム１０の端部の相対向する内面には、取り付け片７の側面と平行な幅方向に溝１１が延設され、その溝１１には板ばね１２の基端が固設されている。この板ばね１２は上記張出部８の突起９とで位置決め手段を構成するものである。この板ばね１２の中間部には凹部１２ａが形成され、自由端部は張出部８の外周面から離反する方向へ延設されている。
【００２５】
したがって、この位置決め手段によれば、図５に示すように、取り付け片７が張出した状態にあるときは、突起９が一方の板ばね１２の凹部１２ａに係合している。そして、取り付け片７が矢印方向に回動され、該取り付け片７が取り付け片６に重ね合わされた状態になったとき、突起９が他方の板ばね１２の凹部１２ａに係合して、取り付け片７の位置決めが図られる。
【００２６】
この実施形態の防寒用耳当てでは、ほほ骨部位を防寒しようとするときには、図１（ａ）に示すように、主防寒部材１から補助防寒部材２を回動させて張出した状態にし、該補助防寒部材２によってほほ骨部位を覆う。ほほ骨部位の防寒を必要としないときには、図１（ｂ）に示すように、補助防寒部材２を主防寒部材１に畳み込めばよい。
なお、位置決め手段は、上記実施形態の態様ばかりでなく、板ばね１２を使用することなく、フレーム１０の端部の相対向する内面に直接凹部１２ａに相当する凹部を形成し、フレーム１０の弾力性を利用して位置決めを図ってもよく、軸５，取り付け片６，７との間の摩擦抵抗を大きくすることによっても実現することができる。
【００２７】
図６に示した防寒用耳当ては、左右の耳を覆う主防寒部材１，１と、左右のほほ骨部位を覆う補助防寒部材２，２と、左右の主防寒部材１，１を連結し、それらを頭部に装着させるための連結部材３とによって構成されている。そして、補助防寒部材２は、ステー２０を介して主防寒部材１にスライド可能に装着され、補助防寒部材２を、主防寒部材１に対してスライドさせ、ほほ骨部位の最適な位置に補助防寒部材２を配置することができるように構成されている。
なお、補助防寒部材２を主防寒部材１にスライド可能に取り付ける構成は、補助防寒部材２にステー２０を突設し、該ステー２０を主防寒部材１に設けられた穴２１に差し込み、穴２１とステー２０との摩擦抵抗を利用して任意の位置で停止可能な構成としてもよく、またステー２０の先端に突起を設け、穴２１の側面に上記突起に係合する山状或いは波状のガイド部を設け、停止が確実な構成としてもよい。
【００２８】
図７に示した防寒用耳当ては、やはり、左右の耳を覆う主防寒部材１，１と、左右のほほ骨部位を覆う補助防寒部材２，２と、左右の主防寒部材１，１を連結し、それらを頭部に装着させるための連結部材３とによって構成されている。そして、補助防寒部材２は、取り付け具３０によって主防寒部材１に対して取り外し可能に装着され、必要としないときには、補助防寒部材２を主防寒部材１から取り外し、通常の防寒用耳当てとして使用することができるように構成されている。
なお、取り付け具３０としては、スナップ、面ファスナー、磁石、ホック、ファスナー等が挙げられる。
【００２９】
以上、本考案に係る防寒用耳当ての種々の実施形態を説明したが、本考案は、何ら既述の実施形態に限定されるものではなく、実用新案登録請求の範囲に記載した本考案の技術的思想の範囲内において、種々の変形及び変更が可能であることは当然である。
例えば、上記実施形態においては記載されていないが、左右の主防寒部材１，１を連結し、それらを頭部に装着させるための連結部材３は、伸縮自在、或いは主防寒部材１に対して回動自在とされ、種々の装着態様が可能なようにしてもよい。また、従来において防寒用耳当てに採用されている種々の構成は、本考案に係る構成の阻害とならない範囲において取り入れてもよい。さらに、主防寒部材１及び補助防寒部材２の形状は一例を示したに過ぎず、何ら実施形態の形状に限定されるものではなく、例えば主防寒部材１を円形とし、補助防寒部材２を星型としてもよく、また主防寒部材１をハート型とし、補助防寒部材２を矩形とする等、斬新でファッション性の高いものとしてもよい。
【符号の説明】
【００３０】
１      主防寒部材
２      補助防寒部材
３      連結部材
４      ヒンジ
５      軸
６，７  取り付け片
８      張出部
９      突起
１０    フレーム
１１    溝
１２    板ばね
１２ａ  凹部
２０    ステー
２１    穴
３０    取り付け具
【図１】
0003159212.tif 000003
【図２】
0003159212.tif 000004
【図３】
0003159212.tif 000005
【図４】
0003159212.tif 000006
【図５】
0003159212.tif 000007
【図６】
0003159212.tif 000008
【図７】
0003159212.tif 000009